(57)【特許請求の範囲】
【請求項１】
画像を形成する画像形成装置であって、
原稿画像を読み取る画像読取部と、
前記画像読取部により読み取られた前記原稿画像に含まれる語句の文字認識を行う文字認識部と、
辞書検索を行うウェブサイトにネットワークを介してアクセスし、前記文字認識部により文字認識された語句をキーワードとして前記辞書検索を行った検索結果の情報を語句情報として取得する情報取得部と、
前記情報取得部により取得された語句情報に基づいて、該語句情報と前記原稿画像とを含む語句情報付き画像を形成する画像形成部と、を備え、
前記情報取得部は、前記ウェブサイトにおいて辞書検索の対象となる語句の数が、前記語句情報を配置する予め設定された領域の数よりも多い場合に、予め設定された条件に基づいて前記ウェブサイトにおいて辞書検索の対象となる語句から除外する語句を選択し、選択された語句を前記ウェブサイトにおいて辞書検索の対象となる語句から除外することを特徴とする画像形成装置。
【請求項２】
前記情報取得部は、ユーザにより指定された条件を満たす語句を前記キーワードとして設定することを特徴とする請求項１に記載の画像形成装置。
【請求項３】
前記条件は、前記語句の領域指定、文字列指定、字体指定、文字サイズ指定、文字色指定の条件の少なくとも１つを含むことを特徴とする請求項２に記載の画像形成装置。
【請求項４】
ユーザを識別する識別情報と前記ウェブサイトのアドレスとを対応付けて記憶する記憶部と、前記ユーザを認証するユーザ認証部とをさらに備え、前記情報取得部は、前記ユーザ認証部により認証されたユーザに対応する前記ウェブサイトのアドレスを前記記憶部から読み出し、読み出した該アドレスに基づいて前記ウェブサイトにアクセスすることを特徴とする請求項１〜３のいずれか１項に記載の画像形成装置。
【請求項５】
前記画像形成部は、１ページ分の前記原稿画像と該１ページ分の原稿画像に含まれる語句の前記語句情報とを１ページ内に含む前記語句情報付き画像を形成することを特徴とする請求項１〜４のいずれか１項に記載の画像形成装置。
【請求項６】
前記画像形成部は、前記原稿画像と前記語句情報とを所定のレイアウトで配置し、レイアウトの変更指示をユーザから受け付けた場合に、前記所定のレイアウトを変更することを特徴とする請求項１〜５のいずれか１項に記載の画像形成装置。
【請求項７】
前記画像形成部は、前記情報取得部により取得された前記語句情報において、前記語句情報付き画像に含める領域、または、前記語句情報付き画像に含めない領域の指定をユーザから受け付け、受け付けた領域の指定に基づいて、前記語句情報付き画像を形成することを特徴とする請求項１〜６のいずれか１項に記載の画像形成装置。
【請求項８】
前記ウェブサイトにおいてなされる辞書検索は、前記語句の意味、訳語、または、解説の情報の検索を含むことを特徴とする請求項１〜７のいずれか１項に記載の画像形成装置。
【請求項９】
画像を形成する画像形成方法であって、
原稿画像を読み取る画像読取ステップと、
前記画像読取ステップにおいて読み取られた前記原稿画像に含まれる語句の文字認識を行う文字認識ステップと、
辞書検索を行うウェブサイトにネットワークを介してアクセスし、前記文字認識ステップにおいて文字認識された語句をキーワードとして前記辞書検索を行った検索結果の情報を語句情報として取得する情報取得ステップと、
前記情報取得ステップにおいて取得された語句情報に基づいて、該語句情報と前記原稿画像とを含む語句情報付き画像を形成する画像形成ステップと、を含み、
前記情報取得ステップは、前記ウェブサイトにおいて辞書検索の対象となる語句の数が、前記語句情報を配置する予め設定された領域の数よりも多い場合に、予め設定された条件に基づいて前記ウェブサイトにおいて辞書検索の対象となる語句から除外する語句を選択し、選択された語句を前記ウェブサイトにおいて辞書検索の対象となる語句から除外するステップを含むことを特徴とする画像形成方法。
【発明の詳細な説明】
【技術分野】
【０００１】
本発明は、画像を形成する画像装置、および、画像形成方法に関する。
【背景技術】
【０００２】
近年、インターネットの発達により、インターネット上で公開されたウェブサイトからさまざまな情報を容易に得ることができるようになっている。そして、このようなインターネット上の情報を利用するため、インターネットへの接続機能を搭載するさまざまな機器が開発されている。
【０００３】
例えば、特許文献１には、インターネットに接続可能なＭＦＰ（Multi Function Peripheral）が開示されている。このＭＦＰは、原稿画像に含まれるウェブアドレスを抽出し、そのウェブアドレスに対応するウェブページ情報を取得する。そして、ＭＦＰは、原稿画像とウェブページ情報との対応関係を示すインデックスを生成する。
【先行技術文献】
【特許文献】
【０００４】
【特許文献１】特開２０１０−７４５７３号公報
【発明の概要】
【発明が解決しようとする課題】
【０００５】
しかしながら、上述した特許文献１の従来技術は、ユーザがスキャンした文書中に含まれている語句の意味や訳語、解説を知りたい場合に、そのような情報をユーザに提供するものではない。
【０００６】
文書中に不明な語句がある場合や、訳語が分からない語句がある場合、ユーザは辞書を用いてその語句を調べるか、あるいは、コンピュータを用いてインターネットに接続し、辞書検索サービスを提供するウェブサイトなどでその語句を検索して調べる必要が生じ、手間がかかる。また、メモしたり、印刷したりしなければ調べた結果が後に残らないという不便さもある。
【０００７】
本発明は、上記課題に鑑み、文書中に不明な語句がある場合や、訳語が分からない語句がある場合に、その語句の意味や、訳語、解説を容易に取得するとともに、その語句の意味や、訳語、解説を記録として残し、後にその記録を利用できるようにするなど、ユーザの利便性を高めることが可能な画像形成装置、および、画像形成方法を提供することを目的とする。
【課題を解決するための手段】
【０００８】
上記課題を解決する為に、本発明の第１の技術手段は、画像を形成する画像形成装置であって、原稿画像を読み取る画像読取部と、前記画像読取部により読み取られた前記原稿画像に含まれる語句の文字認識を行う文字認識部と、辞書検索を行うウェブサイトにネットワークを介してアクセスし、前記文字認識部により文字認識された語句をキーワードとして前記辞書検索を行った検索結果の情報を語句情報として取得する情報取得部と、前記情報取得部により取得された語句情報に基づいて、該語句情報と前記原稿画像とを含む語句情報付き画像を形成する画像形成部と、を備え、前記情報取得部は、前記ウェブサイトにおいて辞書検索の対象となる語句の数が、前記語句情報を配置する予め設定された領域の数よりも多い場合に、予め設定された条件に基づいて前記ウェブサイトにおいて辞書検索の対象となる語句から除外する語句を選択し、選択された語句を前記ウェブサイトにおいて辞書検索の対象となる語句から除外することを特徴とする。
【０００９】
本発明の第２の技術手段は、第１の技術手段において、前記情報取得部は、ユーザにより指定された条件を満たす語句を前記キーワードとして設定することを特徴とする。
【００１０】
本発明の第３の技術手段は、第２の技術手段において、前記条件は、前記語句の領域指定、文字列指定、字体指定、文字サイズ指定、文字色指定の条件の少なくとも１つを含むことを特徴とする。
【００１１】
本発明の第４の技術手段は、第１〜第３のいずれか１つの技術手段において、ユーザを識別する識別情報と前記ウェブサイトのアドレスとを対応付けて記憶する記憶部と、前記ユーザを認証するユーザ認証部とをさらに備え、前記情報取得部は、前記ユーザ認証部により認証されたユーザに対応する前記ウェブサイトのアドレスを前記記憶部から読み出し、読み出した該アドレスに基づいて前記ウェブサイトにアクセスすることを特徴とする。
【００１２】
本発明の第５の技術手段は、第１〜４のいずれか１つの技術手段において、前記画像形成部は、１ページ分の前記原稿画像と該１ページ分の原稿画像に含まれる語句の前記語句情報とを１ページ内に含む前記語句情報付き画像を形成することを特徴とする。
【００１３】
本発明の第６の技術手段は、第１〜第５のいずれか１つの技術手段において、前記画像形成部は、前記原稿画像と前記語句情報とを所定のレイアウトで配置し、レイアウトの変更指示をユーザから受け付けた場合に、前記所定のレイアウトを変更することを特徴とする。
【００１７】
本発明の第７の技術手段は、第１〜第６のいずれか１つの技術手段において、前記画像形成部は、前記情報取得部により取得された前記語句情報において、前記語句情報付き画像に含める領域、または、前記語句情報付き画像に含めない領域の指定をユーザから受け付け、受け付けた領域の指定に基づいて、前記語句情報付き画像を形成することを特徴とする。
【００１８】
本発明の第８の技術手段は、第１〜第７のいずれか１つの技術手段において、前記ウェブサイトにおいてなされる辞書検索は、前記語句の意味、訳語、または、解説の情報の検索を含むことを特徴とする。
【００１９】
本発明の第９の技術手段は、画像を形成する画像形成方法であって、原稿画像を読み取る画像読取ステップと、前記画像読取ステップにおいて読み取られた前記原稿画像に含まれる語句の文字認識を行う文字認識ステップと、辞書検索を行うウェブサイトにネットワークを介してアクセスし、前記文字認識ステップにおいて文字認識された語句をキーワードとして前記辞書検索を行った検索結果の情報を語句情報として取得する情報取得ステップと、前記情報取得ステップにおいて取得された語句情報に基づいて、該語句情報と前記原稿画像とを含む語句情報付き画像を形成する画像形成ステップと、を含み、前記情報取得ステップは、前記ウェブサイトにおいて辞書検索の対象となる語句の数が、前記語句情報を配置する予め設定された領域の数よりも多い場合に、予め設定された条件に基づいて前記ウェブサイトにおいて辞書検索の対象となる語句から除外する語句を選択し、選択された語句を前記ウェブサイトにおいて辞書検索の対象となる語句から除外するステップを含むことを特徴とする。
【発明の効果】
【００２０】
本発明によれば、原稿画像を読み取り、読み取られた原稿画像に含まれる語句の文字認識を行い、辞書検索を行うウェブサイトにネットワークを介してアクセスし、文字認識された語句をキーワードとして辞書検索を行った検索結果の情報を語句情報として取得し、取得された語句情報に基づいて、語句情報と原稿画像とを含む語句情報付き画像を形成することとしたので、原稿中に不明な語句がある場合や、訳語が分からない語句がある場合に、その語句の意味や、訳語、解説をユーザが容易に得ることができるとともに、その語句の意味や、訳語、解説が記録として残るので、後にその記録が利用できるようになり、ユーザの利便性が高まる。
【図面の簡単な説明】
【００２１】
【図１】本発明に係る画像形成処理の一例について説明する説明図である。
【図２】本発明に係る画像形成装置の構成の一例を示すブロック図である。
【図３】本発明に係る画像形成処理の処理手順の一例を示すフローチャートである。
【図４】本発明に係る画像形成処理の処理手順の一例を示すフローチャートである。
【図５】本発明に係る画像形成処理の処理手順の一例を示すフローチャートである。
【図６】本発明に係る画像形成処理の処理手順の一例を示すフローチャートである。
【図７】キーワードの抽出条件の選択を受け付ける選択画面の一例を示す図である。
【図８】原稿画像の一例を示す図である。
【図９】語句情報付き画像のレイアウトの一例を示す図である。
【図１０】語句情報付き画像のレイアウトの他の例を示す図である。
【図１１】キーワードの一覧を表示するキーワード表示画面の一例を示す図である。
【図１２】語句情報付き画像データに含める領域の指定を受け付ける領域指定受付画面の一例を示す図である。
【図１３】加工後の語句情報を含む語句情報付き画像データの一例を示す図である。
【発明を実施するための形態】
【００２２】
以下、本発明の実施形態について図面を参照して詳細に説明する。図１は、本発明に係る画像形成処理の一例について説明する説明図である。まず、この画像形成処理では、ユーザ認証が行われる（図１（Ａ））。このユーザ認証は、認証されたユーザにのみ画像形成装置の利用を許可するために行われる。また、画像形成装置には、ユーザを識別する識別情報に対応付けて辞書検索を行うウェブサイトのＵＲＬの情報が登録されている。このウェブサイトでは、語句が検索キーワードとして入力された場合に、その語句の意味や訳語、あるいは、解説を含む語句情報が検索結果として出力される。上記ＵＲＬの情報は、上記検索に利用するウェブサイトのＵＲＬとして予めユーザにより登録されたものである。ユーザが画像形成装置を利用する権限のあるユーザであると認証された場合、後に説明するように、上記ＵＲＬに対応するウェブサイトにアクセスがなされる。
【００２３】
ユーザ認証の後、画像形成装置により原稿画像が読み取られ、文字認識がなされる（図１（Ｂ））。そして、文字認識により得られた語句の中から、辞書検索用のキーワードとして用いられる語句が抽出される（図１（Ｃ））。この語句の抽出には、さまざまな抽出条件が用いられる。例えば、文書の見出しとして、大きな文字サイズで重要な語句が強調して記載されている場合があるが、このような語句を抽出するため、文字サイズが抽出条件として用いられる。また、重要な語句は、特別な色や字体で記載されている場合があるが、このような語句を抽出するため、文字色や字体が抽出条件として用いられる。そして、それらの抽出条件を満たす語句が抽出され、抽出された語句が辞書検索用のキーワードとして設定される。
【００２４】
その後、画像形成装置は、図１（Ａ）におけるユーザ認証において認証されたユーザに対応付けて登録されているＵＲＬの情報を取得し、そのＵＲＬに対応するウェブサイトにアクセスして、抽出したキーワードを用いて辞書検索を行う（図１（Ｄ））。そして、画像形成装置は、辞書検索の結果得られた語句情報を記憶装置に記憶する（図１（Ｅ））。
【００２５】
その後、画像形成装置は、ユーザによる語句情報の加工指示を受け付ける（図１（Ｆ））。例えば、取得した語句情報に含まれる余分な情報をユーザが除去する場合、画像形成装置は、その情報を除去する指示をユーザから受け付ける。そして、画像形成装置は、図１（Ｂ）で読み取った原稿画像と、辞書検索の結果得られた語句情報、あるいは、余分な情報が除去された語句情報とを含む語句情報付き画像を生成し、生成した語句情報付き画像を印刷する（図１（Ｇ））。
【００２６】
これにより、原稿中に不明な語句がある場合や、訳語が分からない語句がある場合に、その語句の意味や、訳語、解説を容易に得ることができるとともに、その語句の意味や、訳語、解説が記録として残るので、後にその記録が利用できるようになり、ユーザの利便性が高まる。
【００２７】
つぎに、本発明に係る画像形成装置１０の構成について説明する。図２は、本発明に係る画像形成装置１０の構成の一例を示すブロック図である。図２に示すように、画像形成装置１０は、ＩＣカード通信部１１、ユーザ認証部１２、画像読取部１３、画像処理部１４、文字認識部１５、画像記憶部１６、画像読取制御部１７、操作パネル１８、ネットワークインターフェース部１９、不揮発性メモリ部２０、揮発性メモリ部２１、記憶部２２、情報取得部２３、画像形成部２４、制御部２５を備える。
【００２８】
ＩＣカード通信部１１は、ＩＣカード３０との間で通信を行う処理部である。例えば、ユーザ情報が登録されたＩＣカード３０をユーザがＩＣカード通信部１１にかざすと、ＩＣカード通信部１１はそれを検知してＩＣカード３０との間で通信を行い、ＩＣカード３０から受信したユーザの情報をユーザ認証部１２に出力する。
【００２９】
ユーザ認証部１２は、ユーザ認証を行う処理部である。ユーザ認証部１２は、ＩＣカード通信部１１からユーザの情報を受信し、受信した情報を後に説明する記憶部２２に記憶されたユーザ認証情報２２ａと照合して、ユーザ認証を行う。
【００３０】
画像読取部１３は、原稿画像を読み取るイメージスキャナなどのデバイスである。画像処理部１４は、画像読取部１３により読み取られた原稿画像に対して、画像の回転などの画像処理を実行する処理部である。文字認識部１５は、画像読取部１３により読み取られた原稿画像、あるいは、画像処理部１４により画像処理がなされた原稿画像に対して文字認識を行う処理部である。
【００３１】
ここで、文字認識部１５は、原稿画像に含まれる語句の文字列だけでなく、文字サイズや文字色、字体も認識する。例えば、文字認識部１５は、画像読み取った原稿画像の各文字の幅や高さを検出することにより文字サイズを認識する。また、文字認識部１５は、各文字の色を検出することにより文字色を認識する。さらに、文字認識部１５は、各文字の文字構造の特徴抽出を行い、抽出した特徴と、字体特徴情報２２ｅとして予め字体ごとに登録されている文字の特徴とを比較することにより字体を認識する（例えば、特開平７−２００７３４の技術を参照）。
【００３２】
画像記憶部１６は、画像読取部１３により読み取られた原稿画像、画像処理部１４により画像処理がなされた原稿画像、文字認識部１５により認識された文字の情報などを記憶するハードディスク装置などの記憶デバイスである。画像読取制御部１７は、原稿画像の読取処理を制御する処理部である。例えば、画像読取制御部１７は、画像読取部１３が読み取った原稿画像を画像処理部１４に渡して、画像処理部１４に画像処理を実行させたり、画像読取部１３が読み取った原稿画像、画像処理部１４により画像処理がなされた原稿画像、あるいは、文字認識部１５により認識された文字の情報などを画像記憶部１６に記憶させたりする。
【００３３】
操作パネル１８は、さまざまな情報を表示し、また、ユーザからのさまざまな入力を受け付けるデバイスである。操作パネル１８は、表示部１８ａと操作部１８ｂとを備える。表示部１８ａは、液晶ディスプレイなどの表示デバイスである。操作部１８ｂは、ユーザからの情報の入力を受け付けるタッチパネルなどの入力デバイスである。操作部１８ｂは、表示部１１と重ねて設置され、表示部１１に表示されたボタンの押下などを検出する。ネットワークインターフェース部１９は、辞書検索を行うウェブサイトを提供するウェブサーバ３１などとの間で、ネットワーク３２を介した通信を行うインターフェース部である。
【００３４】
不揮発性メモリ部２０は、ＲＯＭ（Read Only Memory）などの不揮発性メモリにより構成される記憶デバイスである。不揮発性メモリ部２０は、画像形成装置１０で行われる処理を実行するコンピュータプログラムなどを記憶する。揮発性メモリ部２１は、ＲＡＭ（Random Access Memory）などの揮発性メモリにより構成される記憶デバイスである。揮発性メモリ部２１は、画像形成装置１０で用いられる種々のデータを一時的に記憶する。記憶部２２は、ハードディスク装置などの補助記憶装置により構成される記憶デバイスである。この記憶部２２は、ユーザ認証情報２２ａ、ウェブサイト情報２２ｂ、レイアウト情報２２ｃ、語句情報２２ｄ、字体特徴情報２２ｅ、キーワード抽出条件情報２２ｆを記憶する。
【００３５】
ユーザ認証情報２２ａは、ユーザ認証を行うために用いられる認証情報である。ユーザ認証部１１は、ＩＣカード３０からユーザの情報を取得した場合に、その情報がユーザ認証情報２２ａに登録されているか否かを検出することにより、ユーザ認証を行う。
【００３６】
ウェブサイト情報２２ｂは、ユーザを識別する識別情報と対応付けて登録された辞書検索を行うウェブサイトの情報である。この情報は、ウェブサイトのＵＲＬ（Uniform Resource Locator）、ウェブサイト上で辞書検索用のキーワードの入力を受け付けるキーワード入力領域の位置情報、ウェブサイト上で検索実行の指示をユーザから受け付ける検索実行ボタンの位置情報、検索が失敗した際にウェブサイトから出力される文字列の情報などを含んでいる。
【００３７】
ユーザ認証によりユーザが認証された場合、そのユーザの識別情報に対応付けて登録されているウェブサイトのＵＲＬが読み出さる。そして、読み出されたＵＲＬを用いて、ウェブサイトに対するアクセスがなされ、辞書検索が行われる。このウェブサイトの情報は、各ユーザにより予め登録される。これにより、各ユーザは、辞書検索に用いるウェブサイトを、本人の好み、欲する情報、利用分野、利用目的、情報の充実度などに応じて自由に設定することができる。
【００３８】
レイアウト情報２２ｃは、印刷される語句情報付き画像において、原稿画像を配置する領域、および、辞書検索の結果得られた語句情報を配置する領域を設定した設定情報である。このような情報を予め設定しておくことにより、原稿画像と語句情報とを含む語句情報付き画像を生成する際に、ユーザはレイアウトをその都度指定する必要が無くなり、利便性が高まる。語句情報２２ｄは、辞書検索の結果得られた語句情報を記憶した情報である。この語句情報には、検索を行った語句の意味や、訳語、解説などの情報が含まれる。
【００３９】
字体特徴情報２２ｅは、太字体や細字体などの各字体に対応付けて、文字の縦線、横線、あるいは、斜め線の太さや、各線の端点の形状などの特徴を登録した情報である。キーワード抽出条件情報２２ｆは、予め設定されたキーワードの抽出条件の情報、および、キーワードの各抽出条件の優先順位の情報である。
【００４０】
情報取得部２３は、文字認識部１５により文字認識がなされた場合に、ネットワーク３２を介して、辞書検索を行うウェブサイトにアクセスし、文字認識の結果得られた語句をキーワードとして、そのウェブサイトに辞書検索を実行させ、その結果得られた語句情報を取得する処理部である。その際、情報取得部２３は、文字認識の結果得られた語句の中から、キーワードの抽出条件を満たす語句を抽出し、抽出した語句をキーワードとして設定する。例えば、情報取得部２３は、ユーザにより指定された領域内にある語句、ユーザにより入力された文字列と一致する文字列の語句、ユーザにより指定された文字サイズの条件を満たす語句、ユーザにより指定された文字色の条件を満たす語句、あるいは、ユーザにより指定された字体の条件を満たす語句を抽出し、抽出した語句をキーワードとして設定する。
【００４１】
ここで、情報取得部２３は、辞書検索を行うウェブサイトを、ユーザ認証により認証されたユーザに対応付けてウェブサイト情報２２ｂに登録されているウェブサイトの中から選択する。そして、情報取得部２３は、そのウェブサイトにおける辞書検索の結果得られた情報を、語句情報２２ｄとして記憶部２２に記憶する。
【００４２】
画像形成部２４は、画像の印刷を行う処理部である。特に、この画像形成部２４は、画像読取部１３により読み取られた原稿画像と、情報取得部２３によりウェブサーバ３１から取得された語句情報とを含む語句情報付き画像を生成し、生成した語句情報付き画像を印刷する。画像形成部２４は、印刷する際に所定の大きさの紙の１ページに収まる語句情報付き画像を生成してもよいし、複数ページにわたって印刷される語句情報付き画像を生成してもよい。また、画像形成部２４は、ウェブサーバ３１から取得された語句情報に広告などの不要な情報が含まれている場合には、不要な情報を除外する処理を行い、不要な情報が除外された語句情報と、原稿画像とを含む語句情報付き画像を生成し、生成した語句情報付き画像を印刷する。このように、原稿画像と語句情報とをまとめて印刷することが可能な語句情報付き画像を生成することにより、ユーザは語句情報付き画像の印刷物を解説書として利用することができる。
【００４３】
制御部２５は、画像処理装置１０の全体を制御する処理部である。制御部２５は、ＣＰＵ（Central Processing Unit）などにより構成される。この制御部２５は、図２に示した各機能部間におけるデータの授受などを制御する。
【００４４】
つぎに、本発明に係る画像形成処理の処理手順について説明する。図３〜図６は、本発明に係る画像形成処理の処理手順の一例を示すフローチャートである。図３に示すように、まず、画像形成装置１０のユーザ認証部１２は、ユーザがＩＣカード３０をＩＣカード通信部１１にかざした場合に、それを検知してユーザ認証を行う（ステップＳ１０１）。具体的には、ユーザ認証部１２は、ＩＣカード３０に登録されているユーザの認証情報をＩＣカード通信部１１から取得し、取得したユーザの認証情報がユーザ記憶部２２に記憶されているユーザ認証情報２２ａに登録されているか否かを判定する。
【００４５】
そして、ユーザ認証部１２は、ユーザ認証が成功したか否かを判定する（ステップＳ１０２）。具体的には、ユーザ認証部１２は、ユーザの認証情報がユーザ認証情報２２ａに登録されている場合に、ユーザ認証が成功したと判定する。ユーザの認証情報がユーザ認証情報２２ａに登録されていない場合、ユーザ認証部１２は、ユーザ認証が失敗したと判定する。
【００４６】
ユーザ認証が失敗した場合（ステップＳ１０２においてＮＯの場合）、そのままこの画像形成処理は終了する。ユーザ認証が成功した場合（ステップＳ１０２においてＹＥＳの場合）、情報取得部２３は、ユーザから語句情報の取得要求を受け付けたか否かを判定する（ステップＳ１０３）。具体的には、情報取得部２３は、語句情報を取得するか否かの入力をユーザから受け付ける画面を表示部１８ａに表示させ、操作部１８ｂを介して、その入力をユーザから受け付けたか否かを判定する。
【００４７】
語句情報の取得要求をユーザから受け付けなかった場合（ステップＳ１０３においてＮＯの場合）、画像形成部２４は、画像読取部１３が読み取った原稿画像を印刷する通常のコピー処理を実行する（ステップＳ１１２）。その後、この画像形成処理は終了する。語句情報の取得要求をユーザから受け付けた場合（ステップＳ１０３においてＹＥＳの場合）、情報取得部２３は、画像読取部１３が読み取った原稿画像から、辞書検索用のキーワードを抽出する際に用いられるキーワード抽出条件の選択をユーザから受け付ける（ステップＳ１０４）。
【００４８】
図７は、キーワードの抽出条件の選択を受け付ける選択画面４０の一例を示す図である。この選択画面４０には、領域指定ボタン４１、文字列指定ボタン４２、文字サイズ指定ボタン４３、文字色指定ボタン４４、字体指定ボタン４５、ＯＫボタン４６が表示される。
【００４９】
領域指定ボタン４１は、ユーザが原稿画像に含まれる語句を矩形領域で囲んで指定し、指定された語句を辞書検索する際のキーワードとして設定するためのボタンである。領域指定ボタン４１が押下され、さらにＯＫボタン４６が押下された場合、操作部１８ｂは、原稿画像に含まれる語句を囲む矩形領域の頂点の指定をユーザから受け付ける。情報取得部２３は、この頂点の情報を取得し、原稿画像が文字認識された場合に、取得した頂点の情報により特定される矩形領域内に含まれる語句を、辞書検索する際のキーワードとして選択する。これにより、ユーザはキーワードを直接指定できる。
【００５０】
文字列指定ボタン４２は、ユーザが文字列を入力して、辞書検索する際のキーワードを設定するためのボタンである。文字列指定ボタン４２が押下され、さらにＯＫボタン４６が押下された場合、表示部１８ａは、仮想キーボードを表示し、操作部１８ｂは、仮想キーボードを用いてなされた文字列の入力をユーザから受け付ける。情報取得部２３は、この文字列の情報を取得し、原稿画像が文字認識された場合に、取得した文字列と一致する文字列の語句を、辞書検索する際のキーワードとして選択する。これにより、ユーザはキーワードを直接指定できる。
【００５１】
文字サイズ指定選択ボタン４３は、原稿画像に含まれる語句のうち予め設定された文字サイズの条件を見たす語句を、辞書検索する際のキーワードとして設定するためのボタンである。文字サイズ指定ボタン４３が押下され、さらにＯＫボタン４６が押下された場合、操作部１８ｂは、文字サイズの条件（例えば、１８ポイント以上など）の指定をユーザから受け付ける。情報取得部２３は、この文字サイズの条件の情報を取得し、原稿画像が文字認識された場合に、その文字サイズの条件を満たす語句を、辞書検索する際のキーワードとして選択する。これにより、例えば、見出しなどにおいて、大きなサイズの文字で強調して記載されている重要な語句が、キーワードとして効率的に選択される。
【００５２】
文字色指定選択ボタン４４は、原稿画像に含まれる語句のうち予め設定された文字色と同じ文字色の語句を、辞書検索する際のキーワードとして設定するためのボタンである。文字色指定ボタン４４が押下され、さらにＯＫボタン４６が押下された場合、操作部１８ｂは、文字色の条件（例えば、赤色など）の指定をユーザから受け付ける。情報取得部２３は、この文字色の条件の情報を取得し、原稿画像が文字認識された場合に、その文字色の条件を満たす文字色の語句を、辞書検索する際のキーワードとして選択する。これにより、例えば、特定の文字色で強調して記載されている重要な語句が、キーワードとして効率的に選択される。
【００５３】
字体指定選択ボタン４５は、原稿画像に含まれる語句のうち予め設定された文字の字体と同じ字体の語句を、辞書検索する際のキーワードとして設定するためのボタンである。字体指定ボタン４５が押下され、さらにＯＫボタン４６が押下された場合、操作部１８ｂは、字体の条件（例えば、太字体など）の指定をユーザから受け付ける。情報取得部２３は、この字体の条件の情報を取得し、原稿画像が文字認識された場合に、その字体の条件を満たす字体の語句を、辞書検索する際のキーワードとして選択する。これにより、例えば、特殊な字体で強調して記載されている重要な語句が、キーワードとして効率的に選択される。
【００５４】
ＯＫボタン４６は、キーワード抽出条件を設定するためのボタンである。具体的には、情報取得部２３は、ユーザにより領域指定ボタン４１、文字列指定ボタン４２、文字サイズ指定ボタン４３、文字色指定ボタン４４、あるいは、字体指定ボタン４５が押下され、さらにＯＫボタン４６が押下された場合に、領域指定、文字列指定、文字サイズ指定、文字色指定、あるいは、字体指定の各条件をキーワード抽出条件として設定する。
【００５５】
また、領域指定ボタン４１、文字列指定ボタン４２、文字サイズ指定ボタン４３、文字色指定ボタン４４、あるいは、字体指定ボタン４５を押下する順番により、ユーザは、各キーワード抽出条件の優先度を設定することができる。この場合、情報取得部２３は、各ボタンが押下された順番の情報を記憶部２２にキーワード抽出条件情報２２ｆとして記憶する。この優先度の情報は、キーワード数が語句情報を表示する領域の数に比べて多く、キーワードを取捨選択する必要がある場合に用いられる。このように、さまざまな抽出条件を用いて語句を抽出することにより、さまざまなフォーマットで記載されている原稿に対して、適切にキーワードを設定できる。
【００５６】
図３の説明に戻ると、ステップＳ１０４の後、情報取得部２３は、キーワードを抽出する条件の選択が完了したか否かを調べる（ステップＳ１０５）。具体的には、情報取得部２３は、ユーザによりＯＫボタン４６が押下されたか否かを判定する。キーワード抽出条件の選択が完了していない場合（ステップＳ１０５においてＮＯの場合）、ステップＳ１０４に移行して、情報取得部２３は、引き続きキーワードを抽出する条件の選択をユーザから受け付ける。
【００５７】
キーワード抽出条件の選択が完了した場合（ステップＳ１０５においてＹＥＳの場合）、情報取得部２３は、選択されたキーワード抽出条件の中に、文字列指定の条件があるか否かを調べる（ステップＳ１０６）。文字列指定の条件がある場合（ステップＳ１０６においてＹＥＳの場合）、情報取得部２３は、操作部１８ｂを介して、ユーザから文字列の指定を受け付ける（ステップＳ１０９）。具体的には、情報取得部２３は、表示部１８ａに仮想キーボードを表示させ、操作部１８ｂは、ユーザが押下した仮想キーボードのキーを検出する。そして、情報取得部２３は、押下が検出されたキーの情報を操作部１８ｂから取得することにより、ユーザからの文字列の指定を受け付ける。
【００５８】
ステップＳ１０６において文字列指定の条件がない場合（ステップＳ１０６においてＮＯの場合）、あるいは、ステップＳ１０７においてユーザから文字列の指定を受け付けた場合、情報取得部２３は、選択されたキーワード抽出条件の中に、文字サイズ指定の条件があるか否かを調べる（ステップＳ１０８）。文字サイズ指定の条件がある場合（ステップＳ１０８においてＹＥＳの場合）、情報取得部２３は、操作部１８ｂを介して、ユーザから文字サイズの指定を受け付ける（ステップＳ１０９）。具体的には、情報取得部２３は、表示部１８ａに文字サイズの指定を受け付ける画面を表示させ、その画面上でユーザが操作部１８ｂを介して指定した文字サイズの情報を操作部１８ｂから取得することにより、ユーザからの文字サイズの指定を受け付ける。
【００５９】
ステップＳ１０８において文字サイズ指定の条件がない場合（ステップＳ１０８においてＮＯの場合）、あるいは、ステップＳ１０９においてユーザから文字サイズの指定を受け付けた場合、情報取得部２３は、選択されたキーワード抽出条件の中に、文字色指定の条件があるか否かを調べる（ステップＳ１１０）。文字色指定の条件がある場合（ステップＳ１１０においてＹＥＳの場合）、情報取得部２３は、操作部１８ｂを介して、ユーザから文字色の指定を受け付ける（ステップＳ１１１）。具体的には、情報取得部２３は、表示部１８ａに文字色の指定を受け付ける画面を表示させ、その画面上でユーザが操作部１８ｂを介して指定した文字色の情報を操作部１８ｂから取得することにより、ユーザからの文字色の指定を受け付ける。
【００６０】
ステップＳ１１０において文字色指定の条件がない場合（ステップＳ１１０においてＮＯの場合）、あるいは、ステップＳ１１１においてユーザから文字色の指定を受け付けた場合、図４に示すように、情報取得部２３は、選択されたキーワード抽出条件の中に、字体指定の条件があるか否かを調べる（ステップＳ１１３）。字体指定の条件がある場合（ステップＳ１１３においてＹＥＳの場合）、情報取得部２３は、操作部１８ｂを介して、ユーザから文字の字体の指定を受け付ける（ステップＳ１１４）。具体的には、情報取得部２３は、表示部１８ａに文字の字体の指定を受け付ける画面を表示させ、その画面上でユーザが操作部１８ｂを介して指定した文字の字体の情報を操作部１８ｂから取得することにより、ユーザからの文字の字体の指定を受け付ける。
【００６１】
ステップＳ１１３において字体指定の条件がない場合（ステップＳ１１３においてＮＯの場合）、あるいは、ステップＳ１１４においてユーザから文字の字体の指定を受け付けた場合、画像形成部２４は、操作部１８ｂを介して、コピー処理の実行指示をユーザから受け付けたか否かを判定する（ステップＳ１１５）。コピー処理の実行指示をユーザから受け付けていない場合（ステップＳ１１５においてＮＯの場合）、画像形成部２４は、ユーザからコピー処理の実行をキャンセルする指示を受け付けたか否かを判定する（ステップＳ１２３）。ユーザからコピー処理の実行をキャンセルする指示を受け付けた場合（ステップＳ１２３においてＹＥＳの場合）、そのままこの画像形成処理は終了する。ユーザからコピー処理の実行をキャンセルする指示を受け付けていない場合（ステップＳ１２３においてＮＯの場合）、画像形成部２４は、ステップＳ１１５に移行し、それ以後の処理を継続する。
【００６２】
ステップＳ１１５において、画像形成部２４が、コピー処理の実行指示をユーザから受け付けた場合（ステップＳ１１５においてＹＥＳの場合）、画像読取部１３は、原稿をスキャンして原稿画像を読み取り、読み取った画像を画像記憶部１６に記憶する画像読取処理を実行する（ステップＳ１１６）。そして、画像形成部２４は、読み取った原稿画像を表示部１８ａに表示させるプレビュー表示処理を実行する（ステップＳ１１７）。
【００６３】
図８は、原稿画像５０の一例を示す図である。例えば、図８に示す原稿画像５０では、語句「強誘電体メモリ」の文字サイズは１８ポイントであり、語句「ＢＩＯＳ」の文字の字体は太字体であり、語句「不揮発性メモリ」の文字色は赤色であるものとする。そして、他の文字の文字サイズは、１８ポイント未満であり、字体は細字体であり、色は黒色であるものとする。
【００６４】
この場合、文字サイズのキーワード抽出条件として、１８ポイント以上という条件が設定されている場合、語句「強誘電体メモリ」が辞書検索用のキーワードの候補として選択される。また、文字の字体のキーワード抽出条件として、太字体という条件が設定されている場合、語句「ＢＩＯＳ」が辞書検索用のキーワードの候補として選択される。また、文字色のキーワード抽出条件として、赤色という条件が設定されている場合、語句「不揮発性メモリ」が辞書検索用のキーワードの候補として選択される。
【００６５】
図４の説明に戻ると、ステップＳ１１７の後、情報取得部２３は、選択されたキーワード抽出条件の中に、文字領域指定の条件があるか否かを調べる（ステップＳ１１８）。文字領域指定の条件がある場合（ステップＳ１１８においてＹＥＳの場合）、情報取得部２３は、操作部１８ｂを介して、ユーザから文字領域の指定を受け付ける（ステップＳ１１９）。具体的には、操作部１８ｂは、表示部１８ａに表示された原稿画像に含まれる文字を囲む矩形領域の指定を受け付ける。そして、情報取得部２３は、操作部１８ｂから、指定された矩形領域の情報を取得することにより、文字領域の指定を受け付ける。
【００６６】
ステップＳ１１８において、文字領域指定の条件がない場合（ステップＳ１１８においてＮＯの場合）、あるいは、ステップＳ１１９においてユーザから文字サイズの指定を受け付けた場合、文字認識部１５は、ステップＳ１１６において読み取った原稿画像に含まれる語句を文字認識する文字認識処理を実行する（ステップＳ１２０）。
【００６７】
そして、画像形成部２４は、記憶部２２からレイアウト情報２２ｃを読み出し（ステップＳ１２１）、最終的に印刷される語句情報付き画像のレイアウトを決定する（ステップＳ１２２）。具体的には、画像形成部２４は、語句情報付き画像のレイアウトをユーザに選択させる画面を表示部１８ａに表示させ、操作部１８ｂがユーザからレイアウトの選択を受け付けることにより、レイアウトを決定する。
【００６８】
図９は、語句情報付き画像のレイアウト６０の一例を示す図である。図９に示すレイアウト６０には、原稿画像表示領域６１と、３つの語句情報表示領域６２ａ〜６２ｃが含まれる。原稿画像表示領域６１は、図４のステップＳ１１６で読み取られた原稿画像５０が表示される領域である。語句情報表示領域６２ａ〜６２ｃは、辞書検索を行うウェブサイトにおいて、キーワードとして設定された語句の検索を行うことにより得られた語句情報を表示する領域である。この語句情報には、検索を行った語句の意味や訳語、解説などの情報が含まれる。また、語句情報に広告６３ａ〜６３ｆが含まれる場合には、語句情報表示領域６２ａ〜６２ｃに広告６３ａ〜６３ｆも併せて表示される。
【００６９】
図１０は、語句情報付き画像のレイアウト６０の他の例を示す図である。図１０には、３つのレイアウト６０の例が示されている（図１０（Ａ）〜（Ｃ））。図１０（Ａ）〜図１０（Ｃ）の各レイアウト６０には、図９に示したレイアウト６０と同様に、原稿画像表示領域６１、および、語句情報表示領域６２ａ〜６２ｈが含まれるが、各レイアウト６０は、語句情報表示領域６２ａ〜６２ｈの数が互いに異なる。すなわち、図１０（Ａ）のレイアウト６０では、語句情報表示領域６２ａ〜６２ｄの数は４つであり、図１０（Ｂ）のレイアウト６０では、語句情報表示領域６２ａ〜６２ｆの数は６つであり、図１０（Ｃ）のレイアウト６０では、語句情報表示領域６２ａ〜６２ｈの数は８つである。画像形成部２４は、上記のようなレイアウト６０の中からいずれか１つのレイアウト６０の選択をユーザから受け付けることにより、印刷される語句情報付き画像のレイアウト６０を決定する。
【００７０】
また、ユーザは、原稿画像表示領域６１、あるいは、語句情報表示領域６２ａ〜６２ｈを縮小、拡大することができる。この場合、画像形成部２４は、縮小比率、あるいは、拡大比率の指定をユーザから受け付ける画面を表示部１８ａに表示させ、操作部１８ｂがユーザから縮小比率、あるいは、拡大比率の指定を受け付ける。画像形成部２４は、操作部１８ｂがユーザから受け付けた縮小比率、あるいは、拡大比率に基づいて、原稿画像表示領域６１、あるいは、語句情報表示領域６２ａ〜６２ｈを縮小、拡大し、印刷される語句情報付き画像のレイアウトを決定する。
【００７１】
また、画像形成部２４は、原稿画像表示領域６１、あるいは、語句情報表示領域６２ａ〜６２ｈを縮小、拡大するのに合わせて、原稿画像表示領域６１内に表示される原稿画像、あるいは、語句情報表示領域６２ａ〜６２ｈ内に表示される語句情報を縮小、拡大する。このように、原稿画像表示領域６１、あるいは、語句情報表示領域６２ａ〜６２ｈの縮小、拡大を可能とすることにより、見易さを考慮して語句情報付き画像を印刷することができる。
【００７２】
図４の説明に戻ると、ステップＳ１２２の処理の後、情報取得部２３は、図３のステップＳ１０４において選択されたキーワード抽出条件に応じて、ステップＳ１２０において文字認識された語句の中からキーワードを抽出する（ステップＳ１２３）。具体的には、情報取得部２３は、図３のステップＳ１０７において文字列が指定された場合には、指定された文字列と同じ文字列の語句を、ステップＳ１０９において文字サイズの条件が指定された場合には、指定された文字サイズの条件を満たす語句を、ステップＳ１１１において文字色の条件が指定された場合には、指定された文字色の条件を満たす語句を、ステップＳ１１４において文字の字体の条件が指定された場合には、指定された字体の条件を満たす語句を、ステップＳ１１９において文字領域が指定された場合には、指定された文字領域に含まれる語句を、辞書検索用のキーワードの候補として抽出する。
【００７３】
そして、図５に示すように、情報取得部２３は、抽出されたキーワード中に重複するキーワードがあるか否かを判定する（ステップＳ１２４）。重複するキーワードがある場合（ステップＳ１２４においてＹＥＳの場合）、情報取得部２３は、重複するキーワードのうち、キーワード抽出条件情報２２ｆに登録された優先度の高いキーワードを１つ選択する（ステップＳ１２５）。
【００７４】
ステップＳ１２５の処理の後、あるいは、重複するキーワードがない場合（ステップＳ１２４においてＮＯの場合）、情報取得部２３は、図４のステップＳ１２３で抽出されたキーワードの一覧を表示部１８ａに表示させる（ステップＳ１２６）。なお、ステップＳ１２４の処理において、重複するキーワードがあった場合、情報取得部２３は、重複するキーワードのうち、ステップＳ１２５において選択された１つのキーワードのみを表示部１８ａに表示させる。
【００７５】
図１１は、キーワードの一覧を表示するキーワード表示画面７０の一例を示す図である。図１１に示すように、キーワード表示画面７０には、キーワード表示ボタン７１ａ〜７１ｃ、設定ボタン７２、修正ボタン７３が表示される。キーワード表示ボタン７１ａ〜７１ｃは、原稿画像から抽出された各キーワードを示すボタンである。キーワード表示ボタン７１ａ〜７１ｃには、抽出されたキーワードと、そのキーワードの抽出に用いられたキーワード抽出条件とが表示される。
【００７６】
また、各キーワード表示ボタン７１ａ〜７１ｃは、キーワード抽出条件情報２２ｆに登録されているキーワード抽出条件の優先順位の順に表示される。例えば、キーワード抽出条件の優先順位が、字体指定、文字色指定、文字サイズ指定の順である場合、字体指定の条件により抽出された語句「ＢＩＯＳ」を示すキーワード表示ボタン７１ａ、文字色指定の条件により抽出された語句「不揮発性メモリ」を示すキーワード表示ボタン７１ｂ、文字サイズ指定の条件により抽出された語句「強誘電体メモリ」を示すキーワード表示ボタン７１ｃが、この順番で表示される。
【００７７】
設定ボタン７２は、辞書検索を行うウェブサイトにおいて、辞書検索用のキーワードを設定するために用いられるボタンである。キーワード表示画面７０が最初に表示された場合、キーワード表示ボタン７１ａ〜７１ｃに表示されたキーワードはすべて選択された状態となっている。そして、そのままユーザが設定ボタン７２を押下した場合、情報取得部２３は、すべてのキーワードを辞書検索用のキーワードとして設定する。
【００７８】
また、キーワード表示ボタン７１ａ〜７１ｃが選択された状態で、選択された状態にあるキーワード表示ボタン７１ａ〜７１ｃをユーザが押下した場合、情報取得部２３は、押下されたキーワード表示ボタン７１ａ〜７１ｃの表示色を変更し、そのキーワードの選択を解除する。この状態でユーザが設定ボタン７２を押下すると、情報取得部２３は、選択されているキーワードのみを辞書検索用のキーワードとして設定する。このように、辞書検索用のキーワードを取捨選択できるようにすることにより、不要なキーワードによる辞書検索を省略することができ、不要なキーワードに対する語句情報が語句情報付き画像に含まれることを防止できる。
【００７９】
修正ボタン７３は、キーワードを修正するために用いられるボタンである。ユーザが修正したいキーワードを表示するキーワード表示ボタン７１ａ〜７１ｃを押下し、さらに修正ボタン７３を押下すると、情報取得部２３は、表示部１８ａに仮想キーボードを表示させ、操作部１８ｂは、仮想キーボードによるキーワードの入力をユーザから受け付ける。そして、情報取得部２３は、入力されたキーワードで、押下されたキーワード表示ボタン７１ａ〜７１ｃに対応するキーワードを置き換えることにより、キーワードの修正を行う。例えば、図１１の例では、「強誘電体メモリ」が「強誘電体メモル」と誤って文字認識されている。このような場合、上記のようにして、情報取得部２３は、「強誘電体メモル」を「強誘電体メモリ」で置き換える。このようなキーワード表示画面７０を表示することにより、ユーザは、キーワードが適切に抽出されているか否かを容易に確認することができ、また、適切に抽出されなかったキーワードを容易に修正できる。
【００８０】
図５の説明に戻ると、ステップＳ１２６の後、情報取得部２３は、ユーザからキーワードの修正指示があったか否かを判定する（ステップＳ１２７）。具体的には、情報取得部２３は、図１１に示すキーワード表示画面７０において、修正ボタン７３がユーザにより押下され、その情報を操作部１８ｂから受信した場合に、キーワードの修正指示があったと判定する。一方、設定ボタン７２がユーザにより押下され、その情報を操作部１８ｂから受信した場合、情報取得部２３は、キーワードの修正指示はないと判定する。
【００８１】
キーワードの修正指示があった場合（ステップＳ１２７においてＹＥＳの場合）、情報取得部２３は、操作部１８ｂを介して、キーワードの修正をユーザから受け付ける（ステップＳ１２８）。その後、情報取得部２３は、ステップＳ１２６に移行して、再度キーワードの一覧を表示部１８ａに表示させる。
【００８２】
ステップＳ１２７において、キーワードの修正指示がなかった場合（ステップＳ１２７においてＮＯの場合）、情報取得部２３は、キーワードの選択を受け付ける（ステップＳ１２９）。具体的には、情報取得部２３は、図１１に示したキーワード表示画面７０において、ユーザがキーワード表示ボタン７１ａ〜７１ｃを押下して行ったキーワードの選択を受け付ける。
【００８３】
そして、情報取得部２３は、選択されたキーワードが設定されたか否かを判定する（ステップＳ１３０）。具体的には、情報取得部２３は、図１１に示したキーワード表示画面７０において、設定ボタン７２が押下されたか否かを判定することにより、選択されたキーワードが設定されたか否かを判定する。
【００８４】
選択されたキーワードが設定されていない場合（ステップＳ１３０においてＮＯの場合）、ステップＳ１２６に移行して、情報取得部２３は、それ以降の処理を実行する。選択されたキーワードが設定された場合（ステップＳ１３０においてＹＥＳの場合）、情報取得部２３は、ステップＳ１２９で設定されたキーワードの数が、図４のステップＳ１２２で決定したレイアウト６０における語句情報表示領域６３ａ〜６３ｈの数よりも多いか否かを判定する（ステップＳ１３１）。
【００８５】
キーワードの数が、語句情報表示領域６３ａ〜６３ｈの数よりも多い場合（ステップＳ１３１においてＹＥＳの場合）、情報取得部２３は、キーワードの削除要求をユーザから受け付ける警告画面を表示部１８ａに表示させる（ステップＳ１３２）。そして、情報取得部２３は、キーワードの削除要求をユーザから受け付けたか否かを判定する（ステップＳ１３３）。キーワードの削除要求をユーザから受け付けた場合（ステップＳ１３３においてＹＥＳの場合）、ステップＳ１２９に移行して、情報取得部２３は、ユーザによるキーワードの選択を再度受け付ける。
【００８６】
その際、図１１に示すキーワード表示画面７０において、ユーザがそのまま設定ボタン７２を押下した場合には、情報取得部２３は、優先順位が高いキーワード抽出条件に対応するキーワードから順に、語句情報表示領域６３ａ〜６３ｈの数だけキーワードを選択する。また、ユーザがキーワード表示ボタン７１ａ〜７１ｃを押下して、押下されたキーワード表示ボタン７１ａ〜７１ｃに対応するキーワードの選択を解除し、その後設定ボタン７２を押下した場合、情報取得部２３は、その時点で選択された状態にあるキーワードを辞書検索用のキーワードとして設定する。これにより、語句情報表示領域６３ａ〜６３ｈの数とキーワードの数とを一致させることができ、ユーザは、予め設定された見易いレイアウト６０を崩すことなく生成された語句情報付き画像を得ることができる。
【００８７】
ステップＳ１３３において、キーワードの削除要求をユーザから受け付けなかった場合（ステップＳ１３３においてＮＯの場合）、画像形成部２４は、図４のステップＳ１２２において決定されたレイアウト６０を、キーワードの数と同じ数の語句情報表示領域６２ａ〜６２ｃを有する別のレイアウト６０に変更する（ステップＳ１３４）。
【００８８】
例えば、図９に示すレイアウト６０の場合、画像形成部２４は、原稿画像表示領域６１を縮小し、あるいは、語句情報表示領域６２ａ〜６２ｃを縮小し、あるいは、原稿画像表示領域６１と語句情報表示領域６２ａ〜６２ｃの両方を縮小し、キーワードの数と同じ数の語句情報表示領域を配置できる領域を確保する。そして、画像形成部２４は、図９に示すもとのレイアウト６０を、原稿画像表示領域６１と、キーワードの数と同じ数の語句情報表示領域を配置したレイアウト６０に変更する。なお、画像形成部２４は、縮小された原稿画像表示領域６１に原稿画像を表示する場合には、その縮小に合わせて原稿画像を縮小表示し、縮小表示された語句情報表示領域６２ａ〜６２ｃに語句情報を表示する場合には、その縮小に合わせて語句情報を縮小表示する。これにより、ユーザは、検索されたすべての語句情報を含む語句情報付き画像を容易に得ることができる。
【００８９】
図５の説明に戻ると、ステップＳ１３４の後、情報取得部２３は、辞書検索を行うウェブサイトを選択する（ステップＳ１３５）。具体的には、情報取得部２３は、記憶部２２に記憶されたウェブサイト情報２２ｂから、図３のステップＳ１０１において認証されたユーザの識別情報に対応付けて登録されているウェブサイトのＵＲＬの情報をウェブサイト情報２２ｂから読み出す。そして、情報取得部２３は、ＵＲＬの情報を読み出したウェブサイトを、辞書検索を行うウェブサイトとして選択する。そして、情報取得部２３は、読み出したＵＲＬを用いて、辞書検索を行うウェブサイトにアクセスする（ステップＳ１３６）。
【００９０】
その後、図６に示すように、情報取得部２３は、そのウェブサイトの辞書検索用のキーワード入力領域にキーワードを入力する（ステップＳ１３７）。具体的には、情報取得部２３は、ウェブサイト情報２２ｂから、そのウェブサイトにおけるキーワード入力領域の位置の情報を読み出し、その位置に図５のステップＳ１３０で設定されたキーワードを入力する（ステップＳ１３７）。
【００９１】
そして、情報取得部２３は、上記ウェブサイトにおいて検索を実行し、入力したキーワードに対応する語句情報を取得する（ステップＳ１３８）。具体的には、情報取得部２３は、ウェブサイト情報２２ｂから、そのウェブサイトにおいて検索の実行を指示する検索実行ボタンの位置の情報を読み出し、その位置にある検索実行ボタンを押下することにより検索を実行する。
【００９２】
そして、情報取得部２３は、語句情報の取得が成功したか否かを判定する（ステップＳ１３９）。具体的には、情報取得部２３は、ウェブサイト情報２２ｂから、検索が失敗した際にそのウェブサイトから出力される文字列の情報を読み出す。そして、情報取得部２３は、辞書検索の結果、その文字列がそのウェブサイトから出力されたか否かを検出することにより、上記判定を行う。
【００９３】
語句情報の取得が失敗した場合（ステップＳ１３９においてＮＯの場合）、情報取得部２３は、語句情報の取得が失敗したウェブサイトとは別のウェブサイトが、図３のステップＳ１０１において認証されたユーザの識別情報に対応付けてウェブサイト情報２２ｂに登録されているか否かを判定する（ステップＳ１４０）。別のウェブサイトがウェブサイト情報２２ｂに登録されている場合（ステップＳ１４０においてＹＥＳの場合）、図５のステップＳ１３５に移行して、情報取得部２３は、その別のウェブサイトを選択し、その後の処理を継続する。
【００９４】
なお、ここでは、語句情報の取得に失敗した場合に、別のウェブサイトを選択し、辞書検索を行うこととしたが、初めから複数のウェブサイトにおいて辞書検索を行い、後に説明する語句情報付き画像の生成処理において、その結果得られた複数の語句情報と原稿画像とを含む語句情報付き画像を生成することとしてもよい。この場合、図９に示すレイアウト６０における語句情報表示領域６２ａ〜６２ｃには、同一のキーワードに対して異なるウェブサイトにおいて辞書検索を行った結果得られた語句情報が表示される。
【００９５】
別のウェブサイトがウェブサイト情報２２ｂに登録されていない場合（ステップＳ１４０においてＮＯの場合）、あるいは、ステップＳ１３９において語句情報の取得が成功した場合（ステップＳ１３９においてＹＥＳの場合）、情報取得部２３は、検索結果の情報を記憶部２２に語句情報２２ｄとして記憶する（ステップＳ１４１）。ここで、検索結果の情報とは、検索が失敗した際にウェブサイトから出力される情報、あるいは、取得に成功した場合にウェブサイトから出力される語句情報である。
【００９６】
その後、情報取得部２３は、原稿画像から抽出されたすべてのキーワードの検索が終了したか否かを判定する（ステップＳ１４２）。すべてのキーワードの検索が終了していない場合（ステップＳ１４２においてＮＯの場合）、ステップＳ１３７に移行して、情報取得部２３は、まだ検索がなされていないキーワードを、ウェブサイトの辞書検索用のキーワード入力欄に入力し、その後の処理を継続する。
【００９７】
すべてのキーワードの検索が終了した場合（ステップＳ１４２においてＹＥＳの場合）、画像形成部２４は、語句情報付き画像データを生成する（ステップＳ１４３）。具体的には、画像形成部２４は、図４のステップＳ１２２で決定したレイアウト６０、あるいは、図５のステップＳ１３４で変更されたレイアウト６０を有する印刷用の画像データを生成する。例えば、図９に示すレイアウト６０における原稿画像表示領域６１には、図４のステップＳ１１６において読み取った原稿画像が配置され、語句情報表示領域６２ａ〜６２ｃには、ステップＳ１３８において取得された語句情報が配置される。
【００９８】
続いて、画像形成部２４は、生成した語句情報付き画像データのプレビュー画像を表示部１８ａに表示させる（ステップＳ１４４）。その後、画像形成部２４は、ユーザから操作部１８ｂを介して語句情報付き画像データの加工指示を受け付けたか否かを判定する（ステップＳ１４５）。ユーザから語句情報付き画像データの加工指示を受け付けた場合（ステップＳ１４５においてＹＥＳの場合）、画像形成部２４は、ユーザから語句情報付き画像データに含める領域の指定を受け付ける領域指定受付画面を表示部１８ａに表示させ、操作部１８ｂを介して、その領域の指定をユーザから受け付ける（ステップＳ１４６）。
【００９９】
図１２は、語句情報付き画像データに含める領域の指定を受け付ける領域指定受付画面８０の一例を示す図である。領域指定受付画面８０は、ウェブサイトから辞書検索の結果として出力された語句情報を表示する画面である。この領域指定受付画面８０には、例えば、ウェブサイトの名称「ＸＸＸ辞典」や広告６３ａ、６３ｂなどの不要な情報も含まれている。この領域指定受付画面８０上で、ユーザは、語句の意味や、訳語、解説などが表示されている領域８１を指定し、ウェブサイトの名称「ＸＸＸ辞典」、および、広告６３ａ、６３ｂが表示されている領域を除外することができる。
【０１００】
なお、図１２の例では、図９の語句情報表示領域６２ａに対する領域指定受付画面８０が表示されているが、画像形成部２４は、語句情報表示領域６２ａに対する領域指定受付画面８０において領域の指定がユーザによりなされた後に、語句情報表示領域６２ｂ、６２ｃに対する領域指定受付画面８０を順次表示部１８ａに表示させ、ユーザから語句情報付き画像データに含める領域の指定を受け付ける。
【０１０１】
図６の説明に戻ると、ステップＳ１４６の後、画像形成部２４は、ユーザにより指定された領域内の情報を語句情報から抽出し、語句情報を加工する（ステップＳ１４７）。そして、ステップＳ１４３に移行し、画像形成部２４は、加工した語句情報と、図４のステップＳ１１６において読み取った原稿画像とから語句情報付き画像データを生成し、その後の処理を継続する。
【０１０２】
図１３は、加工後の語句情報を含む語句情報付き画像データ９０の一例を示す図である。この語句情報付き画像データ９０には、原稿画像表示領域６１と、語句情報表示領域６２ａ〜６２ｃが含まれる。そして、語句情報表示領域６２ａ〜６２ｃには、図９に示したウェブサイトの名称「ＸＸＸ辞典」や、広告６３ａ〜６３ｆが除かれた語句情報が表示される。このように、不要な情報を除外した語句情報付き画像を生成することにより、原稿画像、および、語句情報をより大きく示すことができ、語句情報付き画像を見易くすることができる。
【０１０３】
図６の説明に戻ると、図６のステップＳ１４５において、ユーザから語句情報付き画像データの加工指示を受け付けていない場合（ステップＳ１４５においてＮＯの場合）、画像形成部２４は、ステップＳ１４３において生成した語句情報付き画像データを印刷する（ステップＳ１４８）。そして、この画像形成処理は終了する。
【０１０４】
さて、これまで画像形成装置および画像形成方法の実施形態を中心に説明を行ったが、本発明はこれらの実施形態に限定されるものではなく、画像形成装置の機能を実現するためのコンピュータプログラムとしての形態、あるいは、当該コンピュータプログラムが記録されたコンピュータ読み取り可能な記録媒体の形態として本発明が実施されることとしてもよい。
【０１０５】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１０６】
これら記録媒体に上記実施形態における画像形成装置の機能を実現させるコンピュータプログラム、または、コンテンツ表示方法をコンピュータに実行させるコンピュータプログラムを記録して流通させることにより、コストの低廉化、及び可搬性や汎用性を向上させることができる。
【０１０７】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る画像形成装置の機能を実現し、画像形成方法を実行することができる。
【０１０８】
また、本発明は上述した実施形態に限定されず、本発明の要旨を逸脱しない範囲内で各種の変形、修正が可能である。例えば、上記実施形態では、情報取得部２３が、ユーザにより指定された領域内に含まれる語句、あるいは、ユーザにより入力された文字列と一致する文字列の語句を、辞書検索用のキーワードとして設定することとしたが、情報取得部２３が、ユーザが括弧で囲んだり、丸で囲んだりして指定した領域内の語句、下線を引いて指定した文字列の語句を抽出し、抽出した語句を辞書検索用のキーワードとして設定することとしてもよい。この場合、情報取得部２３は、文字認識処理および画像読取処理によって括弧や下線、丸の位置を検出し、括弧により囲まれた語句、下線が付された語句、丸で囲まれた語句を抽出する。そして、情報取得部２３は、抽出した語句を辞書検索用のキーワードとして設定する。これにより、ユーザは、印刷物に下線や括弧、丸を記入して、辞書検索を行うキーワードを容易に指定できるようになる。
【符号の説明】
【０１０９】
１０…画像形成装置、１１…ＩＣカード通信部、１２…ユーザ認証部、１３…画像読取部、１４…画像処理部、１５…文字認識部、１６…画像記憶部、１７…画像読取制御部、１８…操作パネル、１８ａ…表示部、１８ｂ…操作部、１９…ネットワークインターフェース部、２０…不揮発性メモリ部、２１…揮発性メモリ部、２２…記憶部、２２ａ…ユーザ認証情報、２２ｂ…ウェブサイト情報、２２ｃ…レイアウト情報、２２ｄ…語句情報、２２ｅ…字体特徴情報、２２ｆ…キーワード抽出条件情報、２３…情報取得部、２４…画像形成部、２５…制御部、３０…ＩＣカード、３１…ウェブサーバ、４０…選択画面、４１…領域指定ボタン、４２…文字列指定ボタン、４３…文字サイズ指定ボタン、４４…文字色指定ボタン、４５…字体指定ボタン、４６…ＯＫボタン、５０…原稿画像、６０…レイアウト、６１…原稿画像表示領域、６２ａ〜６２ｆ…語句情報表示領域、６３ａ〜６３ｆ…広告、７０…キーワード表示画面、７１ａ〜７１ｃ…キーワード表示ボタン、７２…設定ボタン、７３…修正ボタン、８０…領域指定画面、８１…領域、９０…語句情報付き画像データ。
【図１】
0005285727.tif 000002
【図２】
0005285727.tif 000003
【図３】
0005285727.tif 000004
【図４】
0005285727.tif 000005
【図５】
0005285727.tif 000006
【図６】
0005285727.tif 000007
【図７】
0005285727.tif 000008
【図８】
0005285727.tif 000009
【図９】
0005285727.tif 000010
【図１０】
0005285727.tif 000011
【図１１】
0005285727.tif 000012
【図１２】
0005285727.tif 000013
【図１３】
0005285727.tif 000014